【手続補正書】
【提出日】平成15年9月3日(2003.9.3)
【手続補正１】
【補正対象書類名】明細書
【補正対象項目名】特許請求の範囲
【補正方法】変更
【補正の内容】
【特許請求の範囲】
【請求項１】
複数種類の識別情報を順番に更新表示することが可能であって前記識別情報の更新表示の表示結果を導出表示する可変表示装置を含み、前記識別情報の更新表示の表示結果が予め定められた特定の表示態様となったことを条件に遊技者にとって有利な状態に制御可能となる遊技機であって、
遊技の進行を制御する遊技制御手段と、
前記可変表示装置の表示制御を行なう表示制御手段とを含み、
前記遊技制御手段は、前記識別情報の変動時間と前記識別情報の更新表示の表示結果とをそれぞれランダムカウンタの抽出値に基づいて決定し、前記表示制御手段が前記可変表示装置の表示制御を行なうための表示制御コマンドとして、前記識別情報の変動時間および前記識別情報の更新表示の表示結果が前記特定の表示態様となるか否かを示す変動時間コマンドと前記識別情報の更新表示の表示結果を示す表示結果コマンドとを前記識別情報の更新表示を開始するときに前記表示制御手段に送信するとともに、前記変動時間コマンドにより前記表示制御手段に通知した前記識別情報の変動時間が経過したときに、前記識別情報の確定時期であることを示す確定時期コマンドを、前記変動時間コマンドとは別に前記表示制御手段に送信し、
前記遊技制御手段と前記表示制御手段との間では、前記遊技制御手段から前記表示制御手段への一方向にのみ情報を伝送可能であり、
前記表示制御手段は、前記遊技制御手段から前記表示制御コマンドの送信に同期して送信される表示制御信号を受信したときに、割込処理を行なって前記表示制御コマンドを受信し、また、
前記表示制御手段は、受信した前記表示制御コマンドの前記変動時間コマンドおよび前記表示結果コマンドのうちの予め定められたコマンドに応じて、前記可変表示装置の表示状態が前記特定の表示態様になることを予告する予告表示を行なうか否かと、前記予告表示を行なうときは複数種類の予告態様のうちから前記予告表示に用いる予告態様とを独自に決定する予告実行決定手段を含み、
前記予告実行決定手段は、ランダムカウンタから特定の表示態様予告用乱数を抽出する抽出手段を有し、さらに、
前記表示制御手段は、
前記識別情報の更新表示の表示結果が前記特定の表示態様になるときの、前記抽出手段による前記特定の表示態様予告用乱数の抽出値と予告表示に用いる予告態様との関係を示した特定の表示態様時用のテーブルデータと、
前記識別情報の更新表示の表示結果が前記特定の表示態様にならないときの、前記抽出手段による前記特定の表示態様予告用乱数の抽出値と予告表示に用いる予告態様との関係を示した非特定の表示態様時用のテーブルデータとを有し、
前記予告実行決定手段は、前記予め定められたコマンドに基づいて、前記特定の表示態様時用のテーブルデータと前記非特定の表示態様時用のテーブルデータとのいずれを使用するかを特定し、さらに、前記特定されたテーブルデータを用いて前記特定の表示態様予告用乱数から、前記予告表示を行なうか否かと、前記予告表示を行なうときの前記予告表示に用いる予告態様とを決定し、
前記表示制御手段は、受信した前記変動時間コマンドにより示された変動時間に応じて、前記識別情報の更新表示の変動速度を構成として含む前記識別情報の更新表示の変動パターンを決定するとともに、前記決定された変動パターンを用いて、前記識別情報を順番に更新表示する前記可変表示装置の表示制御を行ない、
前記表示制御手段は、前記識別情報の更新表示の表示結果を導出表示する以前の段階で、表示している識別情報を、更新表示する前記順番に関係無く、差替え先の識別情報に差替えて表示する差替え表示制御を行なう差替えタイミングを前記変動時間コマンドに基づいて決定するとともに、前記差替えタイミングにおいて、前記表示結果コマンドにより示された前記識別情報の更新表示の表示結果に対応して前記差替え先の識別情報を決定する決定手段を含み、
前記表示制御手段は、前記確定時期コマンドを受信したときに前記表示結果コマンドにより示される前記識別情報の更新表示の表示結果を前記可変表示装置に表示させることを特徴とする、遊技機。
【請求項２】
複数種類の識別情報を順番に更新表示することが可能であって前記識別情報の更新表示の表示結果を導出表示する可変表示装置を含み、前記識別情報の更新表示の表示結果が予め定められた特定の表示態様となったことを条件に遊技者にとって有利な状態に制御可能となる遊技機であって、
遊技の進行を制御する遊技制御手段と、
前記可変表示装置の表示制御を行なう表示制御手段とを含み、
前記遊技制御手段は、前記識別情報の変動時間と前記識別情報の更新表示の表示結果とをそれぞれランダムカウンタの抽出値に基づいて決定し、前記表示制御手段が前記可変表示装置の表示制御を行なうための表示制御コマンドとして、前記識別情報の変動時間および前記可変表示装置の表示状態がリーチ表示態様となるか否かを示す変動時間コマンドと前記識別情報の更新表示の表示結果を示す表示結果コマンドとを前記識別情報の更新表示を開始するときに前記表示制御手段に送信するとともに、前記変動時間コマンドにより前記表示制御手段に通知した前記識別情報の変動時間が経過したときに、前記識別情報の確定時期であることを示す確定時期コマンドを、前記変動時間コマンドとは別に前記表示制御手段に送信し、
前記遊技制御手段と前記表示制御手段との間では、前記遊技制御手段から前記表示制御手段への一方向にのみ情報を伝送可能であり、
前記表示制御手段は、前記遊技制御手段から前記表示制御コマンドの送信に同期して送信される表示制御信号を受信したときに、割込処理を行なって前記表示制御コマンドを受信し、また、
前記表示制御手段は、受信した前記表示制御コマンドの前記変動時間コマンドおよび前記表示結果コマンドのうちの予め定められたコマンドに応じて、前記可変表示装置の表示状態がリーチ表示態様になることを予告する予告表示を行なうか否かと、前記予告表示を行なうときは複数種類の予告態様のうちから前記予告表示に用いる予告態様とを独自に決定する予告実行決定手段を含み、
前記予告実行決定手段は、ランダムカウンタからリーチ予告用乱数を抽出する抽出手段を有し、さらに、
前記表示制御手段は、
前記識別情報の更新表示の表示結果が前記リーチ表示態様になるときの、前記抽出手段による前記リーチ予告用乱数の抽出値と予告表示に用いる予告態様との関係を示したリーチ時用のテーブルデータと、
前記識別情報の更新表示の表示結果が前記リーチ表示態様にならないときの、前記抽出手段による前記リーチ予告用乱数の抽出値と予告表示に用いる予告態様との関係を示したリーチ時以外用のテーブルデータとを有し、
前記予告実行決定手段は、前記予め定められたコマンドに基づいて、前記リーチ時用のテーブルデータと前記リーチ時以外用のテーブルデータとのいずれを使用するかを特定し、さらに、前記特定されたテーブルデータを用いて前記リーチ予告用乱数から、前記予告表示を行なうか否かと、前記予告表示を行なうときの前記予告表示に用いる予告態様とを決定し、
前記表示制御手段は、受信した前記変動時間コマンドにより示された変動時間に応じて、前記識別情報の更新表示の変動速度を構成として含む前記識別情報の更新表示の変動パターンを決定するとともに、前記決定された変動パターンを用いて、前記識別情報を順番に更新表示する前記可変表示装置の表示制御を行ない、
前記表示制御手段は、前記識別情報の更新表示の表示結果を導出表示する以前の段階で、表示している識別情報を、更新表示する前記順番に関係無く、差替え先の識別情報に差替えて表示する差替え表示制御を行なう差替えタイミングを前記変動時間コマンドに基づいて決定するとともに、前記差替えタイミングにおいて、前記表示結果コマンドにより示された前記識別情報の更新表示の表示結果に対応して前記差替え先の識別情報を決定する決定手段を含み、
前記表示制御手段は、前記確定時期コマンドを受信したときに前記表示結果コマンドにより特定される前記識別情報の更新表示の表示結果を前記可変表示装置に表示させることを特徴とする、遊技機。
【請求項３】
前記表示制御手段は、可変表示装置に表示される画像キャラクタによって前記予告表示を行なうことを特徴とする、請求項１または２に記載の遊技機。
【請求項４】
前記表示制御手段は、可変表示装置に表示される前記識別情報を除く部分となる背景画像によって前記予告表示を行なうことを特徴とする、請求項１から３のいずれかに記載の遊技機。
【請求項５】
前記遊技制御手段は、前記遊技制御手段から前記表示制御手段への前記表示制御コマンドの出力を許容し、前記表示制御手段から前記遊技制御手段への信号の入力を阻止する不可逆性出力手段を含むことを特徴とする、請求項１から４のいずれかに記載の遊技機。
【請求項６】
前記表示制御手段は、前記遊技制御手段から前記表示制御手段への前記表示制御コマンドの入力を許容し、前記表示制御手段から前記遊技制御手段への信号の出力を阻止する不可逆性入力手段を含むことを特徴とする、請求項１から５のいずれかに記載の遊技機。
【手続補正２】
【補正対象書類名】明細書
【補正対象項目名】０００６
【補正方法】変更
【補正の内容】
【０００６】
【課題を解決するための手段】
請求項１に記載の本発明は、複数種類の識別情報を順番に更新表示することが可能であって前記識別情報の更新表示の表示結果を導出表示する可変表示装置を含み、前記識別情報の更新表示の表示結果が予め定められた特定の表示態様となったことを条件に遊技者にとって有利な状態に制御可能となる遊技機であって、
遊技の進行を制御する遊技制御手段と、
前記可変表示装置の表示制御を行なう表示制御手段とを含み、
前記遊技制御手段は、前記識別情報の変動時間と前記識別情報の更新表示の表示結果とをそれぞれランダムカウンタの抽出値に基づいて決定し、前記表示制御手段が前記可変表示装置の表示制御を行なうための表示制御コマンドとして、前記識別情報の変動時間および前記識別情報の更新表示の表示結果が前記特定の表示態様となるか否かを示す変動時間コマンドと前記識別情報の更新表示の表示結果を示す表示結果コマンドとを前記識別情報の更新表示を開始するときに前記表示制御手段に送信するとともに、前記変動時間コマンドにより前記表示制御手段に通知した前記識別情報の変動時間が経過したときに、前記識別情報の確定時期であることを示す確定時期コマンドを、前記変動時間コマンドとは別に前記表示制御手段に送信し、
前記遊技制御手段と前記表示制御手段との間では、前記遊技制御手段から前記表示制御手段への一方向にのみ情報を伝送可能であり、
前記表示制御手段は、前記遊技制御手段から前記表示制御コマンドの送信に同期して送信される表示制御信号を受信したときに、割込処理を行なって前記表示制御コマンドを受信し、また、
前記表示制御手段は、受信した前記表示制御コマンドの前記変動時間コマンドおよび前記表示結果コマンドのうちの予め定められたコマンドに応じて、前記可変表示装置の表示状態が前記特定の表示態様になることを予告する予告表示を行なうか否かと、前記予告表示を行なうときは複数種類の予告態様のうちから前記予告表示に用いる予告態様とを独自に決定する予告実行決定手段を含み、
前記予告実行決定手段は、ランダムカウンタから特定の表示態様予告用乱数を抽出する抽出手段を有し、さらに、
前記表示制御手段は、
前記識別情報の更新表示の表示結果が前記特定の表示態様になるときの、前記抽出手段による前記特定の表示態様予告用乱数の抽出値と予告表示に用いる予告態様との関係を示した特定の表示態様時用のテーブルデータと、
前記識別情報の更新表示の表示結果が前記特定の表示態様にならないときの、前記抽出手段による前記特定の表示態様予告用乱数の抽出値と予告表示に用いる予告態様との関係を示した非特定の表示態様時用のテーブルデータとを有し、
前記予告実行決定手段は、前記予め定められたコマンドに基づいて、前記特定の表示態様時用のテーブルデータと前記非特定の表示態様時用のテーブルデータとのいずれを使用するかを特定し、さらに、前記特定されたテーブルデータを用いて前記特定の表示態様予告用乱数から、前記予告表示を行なうか否かと、前記予告表示を行なうときの前記予告表示に用いる予告態様とを決定し、
前記表示制御手段は、受信した前記変動時間コマンドにより示された変動時間に応じて、前記識別情報の更新表示の変動速度を構成として含む前記識別情報の更新表示の変動パターンを決定するとともに、前記決定された変動パターンを用いて、前記識別情報を順番に更新表示する前記可変表示装置の表示制御を行ない、
前記表示制御手段は、前記識別情報の更新表示の表示結果を導出表示する以前の段階で、表示している識別情報を、更新表示する前記順番に関係無く、差替え先の識別情報に差替えて表示する差替え表示制御を行なう差替えタイミングを前記変動時間コマンドに基づいて決定するとともに、前記差替えタイミングにおいて、前記表示結果コマンドにより示された前記識別情報の更新表示の表示結果に対応して前記差替え先の識別情報を決定する決定手段を含み、
前記表示制御手段は、前記確定時期コマンドを受信したときに前記表示結果コマンドにより示される前記識別情報の更新表示の表示結果を前記可変表示装置に表示させることを特徴とする。


【手続補正３】
【補正対象書類名】明細書
【補正対象項目名】０００７
【補正方法】変更
【補正の内容】
【０００７】
請求項２に記載の本発明は、複数種類の識別情報を順番に更新表示することが可能であって前記識別情報の更新表示の表示結果を導出表示する可変表示装置を含み、前記識別情報の更新表示の表示結果が予め定められた特定の表示態様となったことを条件に遊技者にとって有利な状態に制御可能となる遊技機であって、
遊技の進行を制御する遊技制御手段と、
前記可変表示装置の表示制御を行なう表示制御手段とを含み、
前記遊技制御手段は、前記識別情報の変動時間と前記識別情報の更新表示の表示結果とをそれぞれランダムカウンタの抽出値に基づいて決定し、前記表示制御手段が前記可変表示装置の表示制御を行なうための表示制御コマンドとして、前記識別情報の変動時間および前記可変表示装置の表示状態がリーチ表示態様となるか否かを示す変動時間コマンドと前記識別情報の更新表示の表示結果を示す表示結果コマンドとを前記識別情報の更新表示を開始するときに前記表示制御手段に送信するとともに、前記変動時間コマンドにより前記表示制御手段に通知した前記識別情報の変動時間が経過したときに、前記識別情報の確定時期であることを示す確定時期コマンドを、前記変動時間コマンドとは別に前記表示制御手段に送信し、
前記遊技制御手段と前記表示制御手段との間では、前記遊技制御手段から前記表示制御手段への一方向にのみ情報を伝送可能であり、
前記表示制御手段は、前記遊技制御手段から前記表示制御コマンドの送信に同期して送信される表示制御信号を受信したときに、割込処理を行なって前記表示制御コマンドを受信し、また、
前記表示制御手段は、受信した前記表示制御コマンドの前記変動時間コマンドおよび前記表示結果コマンドのうちの予め定められたコマンドに応じて、前記可変表示装置の表示状態がリーチ表示態様になることを予告する予告表示を行なうか否かと、前記予告表示を行なうときは複数種類の予告態様のうちから前記予告表示に用いる予告態様とを独自に決定する予告実行決定手段を含み、
前記予告実行決定手段は、ランダムカウンタからリーチ予告用乱数を抽出する抽出手段を有し、さらに、
前記表示制御手段は、
前記識別情報の更新表示の表示結果が前記リーチ表示態様になるときの、前記抽出手段による前記リーチ予告用乱数の抽出値と予告表示に用いる予告態様との関係を示したリーチ時用のテーブルデータと、
前記識別情報の更新表示の表示結果が前記リーチ表示態様にならないときの、前記抽出手段による前記リーチ予告用乱数の抽出値と予告表示に用いる予告態様との関係を示したリーチ時以外用のテーブルデータとを有し、
前記予告実行決定手段は、前記予め定められたコマンドに基づいて、前記リーチ時用のテーブルデータと前記リーチ時以外用のテーブルデータとのいずれを使用するかを特定し、さらに、前記特定されたテーブルデータを用いて前記リーチ予告用乱数から、前記予告表示を行なうか否かと、前記予告表示を行なうときの前記予告表示に用いる予告態様とを決定し、
前記表示制御手段は、受信した前記変動時間コマンドにより示された変動時間に応じて、前記識別情報の更新表示の変動速度を構成として含む前記識別情報の更新表示の変動パターンを決定するとともに、前記決定された変動パターンを用いて、前記識別情報を順番に更新表示する前記可変表示装置の表示制御を行ない、
前記表示制御手段は、前記識別情報の更新表示の表示結果を導出表示する以前の段階で、表示している識別情報を、更新表示する前記順番に関係無く、差替え先の識別情報に差替えて表示する差替え表示制御を行なう差替えタイミングを前記変動時間コマンドに基づいて決定するとともに、前記差替えタイミングにおいて、前記表示結果コマンドにより示された前記識別情報の更新表示の表示結果に対応して前記差替え先の識別情報を決定する決定手段を含み、
前記表示制御手段は、前記確定時期コマンドを受信したときに前記表示結果コマンドにより特定される前記識別情報の更新表示の表示結果を前記可変表示装置に表示させることを特徴とする。


【手続補正４】
【補正対象書類名】明細書
【補正対象項目名】０００８
【補正方法】変更
【補正の内容】
【０００８】
請求項３に記載の本発明は、請求項１に請求項２に記載の発明の構成に加えて、前記表示制御手段は、可変表示装置に表示される画像キャラクタによって前記予告表示を行なうことを特徴とする。


【手続補正５】
【補正対象書類名】明細書
【補正対象項目名】０００９
【補正方法】変更
【補正の内容】
【０００９】
請求項４に記載の本発明は、請求項１から３のいずれかに記載の発明の構成に加えて、前記表示制御手段は、可変表示装置に表示される前記識別情報を除く部分となる背景画像によって前記予告表示を行なうことを特徴とする。


【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
請求項５に記載の本発明は、請求項１から４のいずれかに記載の発明の構成に加えて、前記遊技制御手段は、前記遊技制御手段から前記表示制御手段への前記表示制御コマンドの出力を許容し、前記表示制御手段から前記遊技制御手段への信号の入力を阻止する不可逆性出力手段を含むことを特徴とする。


【手続補正１２】
【補正対象書類名】明細書
【補正対象項目名】００１６
【補正方法】変更
【補正の内容】
【００１６】
請求項６に記載の本発明は、請求項１から５のいずれかに記載の発明の構成に加えて、前記表示制御手段は、前記遊技制御手段から前記表示制御手段への前記表示制御コマンドの入力を許容し、前記表示制御手段から前記遊技制御手段への信号の出力を阻止する不可逆性入力手段を含むことを特徴とする。


【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
【作用】
請求項１に記載の本発明によれば、次のように作用する。複数種類の識別情報を順番に更新表示することが可能であって識別情報の更新表示の表示結果を導出表示する可変表示装置の識別情報の更新表示の表示結果が予め定められた特定の表示態様となったとを条件に遊技者にとって有利な状態に制御可能となる。遊技制御手段の働きにより、遊技の進行が制御される。表示制御手段の働きにより、可変表示装置の表示制御が行なわれる。遊技制御手段のさらなる働きにより、識別情報の変動時間と識別情報の更新表示の表示結果とをそれぞれランダムカウンタの抽出値に基づいて決定し、表示制御手段が可変表示装置の表示制御を行なうための表示制御コマンドとして、識別情報の変動時間および識別情報の更新表示の表示結果が特定の表示態様となるか否かを示す変動時間コマンドと識別情報の更新表示の表示結果を示す表示結果コマンドとを識別情報の更新表示を開始するときに表示制御手段に送信するとともに、変動時間コマンドにより表示制御手段に通知した識別情報の変動時間が経過したときに、識別情報の確定時期であることを示す確定時期コマンドが、変動時間コマンドとは別に前記表示制御手段に送信される。遊技制御手段と表示制御手段との間では、遊技制御手段から表示制御手段への一方向にのみ情報が伝送可能である。表示制御手段のさらなる働きにより、遊技制御手段から表示制御コマンドの送信に同期して送信される表示制御信号を受信したときに、割込処理を行なって表示制御コマンドが受信される。表示制御手段に含まれる予告実行決定手段の働きにより、受信した表示制御コマンドの変動時間コマンドおよび表示結果コマンドのうちの予め定められたコマンドに応じて、可変表示装置の表示状態が特定の表示態様になることを予告する予告表示を行なうか否かと、予告表示を行なうときは複数種類の予告態様のうちから予告表示に用いる予告態様とが独自に決定される。予告実行決定手段にさらに設けられている抽出手段の働きにより、ランダムカウンタから特定の表示態様予告用乱数が抽出される。表示制御手段に設けられている特定の表示態様時用のテーブルデータにより、識別情報の更新表示の表示結果が特定の表示態様になるときの、抽出手段による特定の表示態様予告用乱数の抽出値と予告表示に用いる予告態様との関係が示される。表示制御手段に設けられている非特定の表示態様時用のテーブルデータにより、識別情報の更新表示の表示結果が特定の表示態様にならないときの、抽出手段による特定の表示態様予告用乱数の抽出値と予告表示に用いる予告態様との関係が示される。予告実行決定手段のさらなる働きにより、予め定められたコマンドに基づいて、特定の表示態様時用のテーブルデータと非特定の表示態様時用のテーブルデータとのいずれを使用するかが特定され、さらに、特定されたテーブルデータを用いて特定の表示態様予告用乱数から、予告表示を行なうか否かと、予告表示を行なうときの予告表示に用いる予告態様とが決定される。表示制御手段のさらなる働きにより、受信した変動時間コマンドにより示された変動時間に応じて、識別情報の更新表示の変動速度を構成として含む識別情報の更新表示の変動パターンを決定するとともに、決定された変動パターンを用いて、識別情報を順番に更新表示する可変表示装置の表示制御が行なわれる。表示制御手段に含まれる決定手段の働きにより、識別情報の更新表示の表示結果を導出表示する以前の段階で、表示している識別情報を、更新表示する順番に関係無く、差替え先の識別情報に差替えて表示する差替え表示制御を行なう差替えタイミングを変動時間コマンドに基づいて決定するとともに、差替えタイミングにおいて、表示結果コマンドにより示された識別情報の更新表示の表示結果に対応して差替え先の識別情報が決定される。表示制御手段の働きにより、確定時期コマンドを受信したときに表示結果コマンドにより示される識別情報の更新表示の表示結果が可変表示装置に表示される。
【手続補正１５】
【補正対象書類名】明細書
【補正対象項目名】００１９
【補正方法】変更
【補正の内容】
【００１９】
請求項２に記載の本発明によれば、次のように作用する。複数種類の識別情報を順番に更新表示することが可能であって識別情報の更新表示の表示結果を導出表示する可変表示装置の識別情報の更新表示の表示結果が予め定められた特定の表示態様となったことを条件に遊技者にとって有利な状態に制御可能となる。表示制御手段の働きにより、可変表示装置の表示制御が行なわれる。遊技制御手段のさらなる働きにより、識別情報の変動時間と識別情報の更新表示の表示結果とをそれぞれランダムカウンタの抽出値に基づいて決定し、表示制御手段が可変表示装置の表示制御を行なうための表示制御コマンドとして、識別情報の変動時間および可変表示装置の表示状態がリーチ表示態様となるか否かを示す変動時間コマンドと識別情報の更新表示の表示結果を示す表示結果コマンドとを識別情報の更新表示を開始するときに表示制御手段に送信するとともに、変動時間コマンドにより表示制御手段に通知した識別情報の変動時間が経過したときに、識別情報の確定時期であることを示す確定時期コマンドが、変動時間コマンドとは別に表示制御手段に送信される。遊技制御手段と表示制御手段との間では、遊技制御手段から表示制御手段への一方向にのみ情報が伝送可能である。表示制御手段のさらなる働きにより、遊技制御手段から表示制御コマンドの送信に同期して送信される表示制御信号を受信したときに、割込処理を行なって表示制御コマンドが受信される。表示制御手段に含まれる予告実行決定手段の働きにより、受信した表示制御コマンドの変動時間コマンドおよび表示結果コマンドのうちの予め定められたコマンドに応じて、可変表示装置の表示状態がリーチ表示態様になることを予告する予告表示を行なうか否かと、予告表示を行なうときは複数種類の予告態様のうちから予告表示に用いる予告態様とが独自に決定される。予告実行決定手段にさらに設けられている抽出手段の働きにより、ランダムカウンタからリーチ予告用乱数が抽出される。表示制御手段に設けられているリーチ時用のテーブルデータにより、識別情報の更新表示の表示結果がリーチ表示態様になるときの、抽出手段によるリーチ予告用乱数の抽出値と予告表示に用いる予告態様との関係が示される。表示制御手段に設けられているリーチ時以外用のテーブルデータにより、識別情報の更新表示の表示結果がリーチ表示態様にならないときの、抽出手段によるリーチ予告用乱数の抽出値と予告表示に用いる予告態様との関係が示される。予告実行決定手段のさらなる働きにより、予め定められたコマンドに基づいて、リーチ時用のテーブルデータとリーチ時以外用のテーブルデータとのいずれを使用するかを特定し、さらに、特定されたテーブルデータを用いてリーチ予告用乱数から、予告表示を行なうか否かと、予告表示を行なうときの予告表示に用いる予告態様とが決定される。表示制御手段のさらなる働きにより、受信した変動時間コマンドにより示された変動時間に応じて、識別情報の更新表示の変動速度を構成として含む識別情報の更新表示の変動パターンを決定するとともに、決定された変動パターンを用いて、識別情報を順番に更新表示する可変表示装置の表示制御が行なわれる。表示制御手段に含まれる決定手段の働きにより、識別情報の更新表示の表示結果を導出表示する以前の段階で、表示している識別情報を、更新表示する順番に関係無く、差替え先の識別情報に差替えて表示する差替え表示制御を行なう差替えタイミングを変動時間コマンドに基づいて決定するとともに、差替えタイミングにおいて、表示結果コマンドにより示された識別情報の更新表示の表示結果に対応して差替え先の識別情報が決定される。表示制御手段の働きにより、確定時期コマンドを受信したときに表示結果コマンドにより特定される識別情報の更新表示の表示結果が可変表示装置に表示される。
【手続補正１６】
【補正対象書類名】明細書
【補正対象項目名】００２０
【補正方法】変更
【補正の内容】
【００２０】
請求項３に記載の本発明によれば、請求項１または２に記載の発明の作用に加えて、次のように作用する。表示制御手段の働きにより、可変表示装置に表示される画像キャラクタによって予告表示が行なわれる。


【手続補正１７】
【補正対象書類名】明細書
【補正対象項目名】００２１
【補正方法】変更
【補正の内容】
【００２１】
請求項４に記載の本発明によれば、請求項１から３のいずれかに記載の発明の作用に加えて、次のように作用する。表示制御手段の働きにより、可変表示装置に表示される識別情報を除く部分となる背景画像によって予告表示が行なわれる。


【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】変更
【補正の内容】
【００２７】
請求項５に記載の本発明によれば、請求項１から４のいずれかに記載の発明の作用に加えて、次のように作用する。遊技制御手段に含まれる不可逆性出力手段の働きにより、遊技制御手段から表示制御手段への表示制御コマンドの出力が許容され、表示制御手段から遊技制御手段への信号の入力が阻止される。


【手続補正２４】
【補正対象書類名】明細書
【補正対象項目名】００２８
【補正方法】変更
【補正の内容】
【００２８】
請求項６に記載の本発明によれば、請求項１から５のいずれかに記載の発明の作用に加えて、次のように作用する。表示制御手段に含まれる不可逆性入力手段の働きにより、遊技制御手段から表示制御手段への表示制御コマンドの入力が許容され、表示制御手段から遊技制御手段への信号の出力が阻止される。


【手続補正２５】
【補正対象書類名】明細書
【補正対象項目名】００２９
【補正方法】削除
【補正の内容】
【手続補正２６】
【補正対象書類名】明細書
【補正対象項目名】０３７３
【補正方法】変更
【補正の内容】
【０３７３】
（２８）  図１等に示されたパチンコ遊技機１により、複数種類の識別情報（図柄）の更新表示（可変表示）が可能な可変表示装置（可変表示装置８、さらに具体的には、可変表示部９）を含む遊技機が構成されている。図４等に示された遊技制御基板３１により、遊技の進行を制御する遊技制御手段が構成されている。図４に示された表示制御基板８０により、前記可変表示装置の表示制御を行なう表示制御手段が構成されている。図２５〜図２９，図６０等に示されるように、前記遊技制御手段は、前記可変表示装置の表示制御を行なうための表示制御コマンドとして、少なくとも、前記識別情報の変動時間を特定可能な変動時間コマンド（変動時間コマンド）と前記識別情報の確定態様を特定可能な確定態様コマンド（左，中，右停止図柄コマンドまたは当りはずれコマンド）とを前記表示制御手段に送出可能であるとともに、前記識別情報の確定時期を特定可能な確定時期コマンド（全図柄停止コマンド）を前記変動時間コマンドとは別に前記表示制御手段に送出可能である。前記表示制御手段は、図４２および図４４に示されるように、前記可変表示装置の表示状態が所定の表示態様（たとえば、リーチ表示態様，大当り表示態様）になることを予告する予告表示制御と、図２５〜図２９等に示されるように、前記識別情報が確定する以前の段階で、確定させる識別情報に対応して、表示する識別情報を差替える差替え表示制御とを行なうことが可能である。図４２に示されたリーチ予告決定処理，図４４に示された大当り予告決定処理等により、前記表示制御手段に含まれ、受信した前記表示制御コマンドのうちの予め定められたコマンドに応じて、前記予告表示を行なうか否かを決定する予告実行決定手段が構成されている。図２５〜図２９等に示されたような差替え制御を実行する表示制御用ＣＰＵ１０１により、前記差替え表示における差替え先の識別情報を決定する差替え先決定手段が構成されている。


【手続補正２７】
【補正対象書類名】明細書
【補正対象項目名】０３７４
【補正方法】変更
【補正の内容】
【０３７４】
（２９）  図１等に示されたパチンコ遊技機１により、複数種類の識別情報（図柄）の更新表示（可変表示）が可能な可変表示装置（可変表示装置８、さらに具体的には、可変表示部９）を有し、該可変表示装置の表示結果が予め定められた特定の表示態様（大当り図柄の組合せ）となったことを条件に遊技者にとって有利な状態（大当り状態）に制御可能となる遊技機が構成されている。図４等に示された遊技制御基板３１により、遊技の進行を制御する遊技制御手段が構成されている。図４に示された表示制御基板８０により、前記可変表示装置の表示制御を行なう表示制御手段が構成されている。図２５〜図２９，図６０等に示されるように、前記遊技制御手段は、前記可変表示装置の表示制御を行なうための表示制御コマンドとして、少なくとも、前記識別情報の変動時間を特定可能な変動時間コマンド（変動時間コマンド）と前記識別情報の確定態様を特定可能な確定態様コマンド（左，中，右停止図柄コマンドまたは当りはずれコマンド）とを前記表示制御手段に送出可能であるとともに、前記識別情報の確定時期を特定可能な確定時期コマンド（全図柄停止コマンド）を前記変動時間コマンドとは別に前記表示制御手段に送出可能である。前記表示制御手段は、図４２および図４４に示されるように、前記可変表示装置の表示状態が所定の表示態様（たとえば、リーチ表示態様，大当り表示態様）になることを予告する予告表示制御と、図２５〜図２９等に示されるように、前記識別情報が確定する以前の段階で、確定させる識別情報に対応して、表示する識別情報を差替える差替え表示制御とを行なうことが可能である。図４２に示されたリーチ予告決定処理，図４４に示された大当り予告決定処理等により、前記表示制御手段に含まれ、受信した前記表示制御コマンドのうちの予め定められたコマンドに応じて、前記予告表示を行なうか否かを決定する予告実行決定手段が構成されている。図２５〜図２９等に示されたような差替え制御を実行する表示制御用ＣＰＵ１０１により、前記差替え表示における差替え先の識別情報を決定する差替え先決定手段が構成されている。


【手続補正２８】
【補正対象書類名】明細書
【補正対象項目名】０３７５
【補正方法】変更
【補正の内容】
【０３７５】
（３０）  図１６および図１７に示されるように、前記予告表示は、表示画面上の画像キャラクタによって行なわれる。


【手続補正２９】
【補正対象書類名】明細書
【補正対象項目名】０３７６
【補正方法】変更
【補正の内容】
【０３７６】
（３１）  図５２に示されるように、前記予告表示は、前記識別情報を除く部分となる背景画像によって行なわれる。


【手続補正３０】
【補正対象書類名】明細書
【補正対象項目名】０３７７
【補正方法】変更
【補正の内容】
【０３７７】
（３２）  図３６に示されるように、前記予告実行決定手段は、前記予告表示を決定する場合に、前記予告表示後における前記所定の表示態様へのなりやすさが互いに異なる複数種類の予告態様のうちから表示する予告態様を選択する。


【手続補正３１】
【補正対象書類名】明細書
【補正対象項目名】０３７８
【補正方法】変更
【補正の内容】
【０３７８】
（３３）  図１６，図３６に示されるように、前記所定の態様とは、リーチ表示態様を含む。


【手続補正３２】
【補正対象書類名】明細書
【補正対象項目名】０３７９
【補正方法】変更
【補正の内容】
【０３７９】
（３４）  図１６，図１７，図３６に示されるように、前記所定の表示態様とは、予め定められた当り表示態様（大当り表示態様）を含む。


【手続補正３３】
【補正対象書類名】明細書
【補正対象項目名】０３８０
【補正方法】変更
【補正の内容】
【０３８０】
（３５）  図２５〜図２９等に示されるように、前記表示制御手段は、前記識別情報を更新しない態様により前記識別情報を確定時とは異なる態様で表示（揺れ動作）させる表示制御をすることが可能である。


【手続補正３４】
【補正対象書類名】明細書
【補正対象項目名】０３８１
【補正方法】変更
【補正の内容】
【０３８１】
（３６）  図４，図５に示されるように、前記遊技制御手段と前記表示制御手段との間では、前記遊技制御手段から前記表示制御手段への一方向にのみ情報が伝送可能である。


【手続補正３５】
【補正対象書類名】明細書
【補正対象項目名】０３８２
【補正方法】変更
【補正の内容】
【０３８２】
（３７）  図５に示された出力バッファ回路６３により、前記遊技制御手段に含まれ、前記遊技制御手段から前記表示制御手段への一方向にのみ情報を伝送するための不可逆性出力手段が構成されている。


【手続補正３６】
【補正対象書類名】明細書
【補正対象項目名】０３８３
【補正方法】変更
【補正の内容】
【０３８３】
（３８）  図５に示された入力バッファ回路１０５（特に、入力バッファ回路１０５ａ）により、前記表示制御手段に含まれ、前記遊技制御手段から表示制御手段への一方向にのみ情報を伝送するための不可逆性入力手段が構成されている。


【手続補正３７】
【補正対象書類名】明細書
【補正対象項目名】０３８４
【補正方法】変更
【補正の内容】
【０３８４】
（３９）  図４２に示されたＳ７５１ｂ〜Ｓ７５１ｅ、図４４に示されたＳ７６２ｂ〜Ｓ７６２ｅ等により、前記予告実行決定手段に含まれ、前記予告表示を行なうか否かを抽選（ランダムカウンタを用いた抽選）により決定する抽選手段が構成されている。


【手続補正３８】
【補正対象書類名】明細書
【補正対象項目名】０３８５
【補正方法】変更
【補正の内容】
【０３８５】
【課題を解決するための手段の具体例の効果】
請求項１に関しては、次のような効果を得ることができる。表示制御手段においては、予告実行決定手段により、遊技制御手段から受信した表示制御コマンドの変動時間コマンドおよび表示結果コマンドのうちの予め定められたコマンドに基づいて、特定の表示態様時用のテーブルデータと非特定の表示態様時用のテーブルデータとのいずれを使用するかが特定され、さらに、特定されたテーブルデータを用いて特定の表示態様予告用乱数から、特定の表示態様になることの予告表示を行なうか否かと、予告表示を行なうときの予告表示に用いる予告態様とが独自に決定される。このため、遊技制御手段側では、表示制御手段で行なう予告表示に関する制御を行なわなくてよいので、遊技制御手段における表示制御に関する処理負担を軽減することができる。さらに、表示制御手段においては、決定手段の働きにより、識別情報の更新表示の表示結果を導出表示する以前の段階で、表示している識別情報を、更新表示する順番に関係無く、差替え先の識別情報に差替えて表示する差替え表示制御を行なう差替えタイミングを変動時間コマンドに基づいて決定するとともに、差替えタイミングにおいて、表示結果コマンドにより示された識別情報の更新表示の表示結果に対応して差替え先の識別情報が決定される。このため、遊技制御手段側では、表示制御手段で行なう差替え表示における差替え先の識別情報の決定を行なわなくてよいので、遊技制御手段における表示制御に関する処理負担をより一層軽減することができる。そして、遊技制御手段における表示制御に関する処理負担を軽減できる結果として、遊技制御手段が本来の遊技制御にかけられる時間を増やすことが可能となる遊技機を提供することができる。さらに、識別情報の確定時期であることを示す確定時期コマンドが変動時間コマンドとは別に遊技制御手段から表示制御手段に与えられるため、その確定時期コマンドにより、遊技制御手段が管理するタイミングで確実に識別情報を確定させることができる。またさらに、前記遊技制御手段と前記表示制御手段との間では、前記遊技制御手段から前記表示制御手段への一方向にのみ情報を伝送可能であるため、表示制御手段から遊技制御手段に不正な信号が入力されて不正な制御動作が行なわれることを防ぐことができる。さらにまた、遊技制御手段から表示制御コマンドの送信に同期して送信される表示制御信号を受信したときに、表示制御手段の働きによって割込処理が行なわれて前記表示制御コマンドが受信される。
【手続補正３９】
【補正対象書類名】明細書
【補正対象項目名】０３８６
【補正方法】変更
【補正の内容】
【０３８６】
請求項２に関しては、次のような効果を得ることができる。表示制御手段においては、予告実行決定手段により、遊技制御手段から受信した表示制御コマンドの変動時間コマンドおよび表示結果コマンドのうちの予め定められたコマンドに基づいて、リーチ時用のテーブルデータとリーチ時以外用のテーブルデータとのいずれを使用するかが特定され、さらに、特定されたテーブルデータを用いてリーチ予告用乱数から、リーチ表示態様になることの予告表示を行なうか否かと、予告表示を行なうときの予告表示に用いる予告態様とが独自に決定される。このため、遊技制御手段側では、表示制御手段で行なう予告表示に関する制御を行なわなくてよいので、遊技制御手段における表示制御に関する処理負担を軽減することができる。さらに、表示制御手段においては、決定手段の働きにより、識別情報の更新表示の表示結果を導出表示する以前の段階で、表示している識別情報を、更新表示する順番に関係無く、差替え先の識別情報に差替えて表示する差替え表示制御を行なう差替えタイミングを変動時間コマンドに基づいて決定するとともに、差替えタイミングにおいて、表示結果コマンドにより示された識別情報の更新表示の表示結果に対応して差替え先の識別情報が決定される。このため、遊技制御手段側では、表示制御手段で行なう差替え表示における差替え先の識別情報の決定を行なわなくてよいので、遊技制御手段における表示制御に関する処理負担をより一層軽減することができる。そして、遊技制御手段における表示制御に関する処理負担を軽減できる結果として、遊技制御手段が本来の遊技制御にかけられる時間を増やすことが可能となる遊技機を提供することができる。さらに、識別情報の確定時期であることを示す確定時期コマンドが変動時間コマンドとは別に遊技制御手段から表示制御手段に与えられるため、その確定時期コマンドにより、遊技制御手段が管理するタイミングで確実に識別情報を確定させることができる。またさらに、前記遊技制御手段と前記表示制御手段との間では、前記遊技制御手段から前記表示制御手段への一方向にのみ情報を伝送可能であるため、表示制御手段から遊技制御手段に不正な信号が入力されて不正な制御動作が行なわれることを防ぐことができる。さらにまた、遊技制御手段から表示制御コマンドの送信に同期して送信される表示制御信号を受信したときに、表示制御手段の働きによって割込処理が行なわれて前記表示制御コマンドが受信される。
【手続補正４０】
【補正対象書類名】明細書
【補正対象項目名】０３８７
【補正方法】変更
【補正の内容】
【０３８７】
請求項３に関しては、請求項１または２に関する効果に加えて、次のような効果を得ることができる。表示制御手段の働きにより、可変表示装置に表示される画像キャラクタによって予告表示が行なわれるため、予告とキャラクタとの連動によって表示の面白みが向上し、遊技の興趣を向上させることができる。また、演出特有のキャラクタを用いた予告表示を行なうことにより、遊技者の注意を引くことができ、予告がされていることを遊技者に印象的に知らせることができる。


【手続補正４１】
【補正対象書類名】明細書
【補正対象項目名】０３８８
【補正方法】変更
【補正の内容】
【０３８８】
請求項４に関しては、請求項１から３のいずれかに関する効果に加えて、次のような効果を得ることができる。表示制御手段の働きにより、可変表示装置に表示される識別情報を除く部分となる背景画像によって予告表示が行なわれるため、識別情報とは異なる背景画像を用いた予告表示を行なうことにより、遊技者の注意を引くことができ、予告がされていることを遊技者に印象的に知らせることができ、また、遊技の興趣を向上させることができる。


【手続補正４２】
【補正対象書類名】明細書
【補正対象項目名】０３８９
【補正方法】削除
【補正の内容】
【手続補正４３】
【補正対象書類名】明細書
【補正対象項目名】０３９０
【補正方法】削除
【補正の内容】
【手続補正４４】
【補正対象書類名】明細書
【補正対象項目名】０３９１
【補正方法】削除
【補正の内容】
【手続補正４５】
【補正対象書類名】明細書
【補正対象項目名】０３９２
【補正方法】削除
【補正の内容】
【手続補正４６】
【補正対象書類名】明細書
【補正対象項目名】０３９３
【補正方法】変更
【補正の内容】
【０３９３】
請求項５に関しては、請求項１から４のいずれかに関する効果に加えて、次のような効果を得ることができる。遊技制御手段に含まれる不可逆性出力手段の働きにより、遊技制御手段から表示制御手段への表示制御コマンドの出力が許容され、表示制御手段から遊技制御手段への信号の入力が阻止されるため、遊技制御手段と表示制御手段との通信部分を利用し、遊技制御手段に対して不正な信号が入力されて不正な制御動作が行なわれることを遊技制御手段自体で防ぐことができる。


【手続補正４７】
【補正対象書類名】明細書
【補正対象項目名】０３９４
【補正方法】変更
【補正の内容】
【０３９４】
請求項６に関しては、請求項１から５のいずれかに関する効果に加えて、次のような効果を得ることができる。表示制御手段に含まれる不可逆性入力手段の働きにより、遊技制御手段から表示制御手段への表示制御コマンドの入力が許容され、表示制御手段から遊技制御手段への信号の出力が阻止されるため、遊技制御手段と表示制御手段との通信部分を利用し、遊技制御手段に対して不正な信号が入力されて不正な制御動作が行なわれることを表示制御手段側において防ぐことができる。


【手続補正４８】
【補正対象書類名】明細書
【補正対象項目名】０３９５
【補正方法】削除
【補正の内容】